(57)【要約】【課題】コストの増加を防ぎつつ、当該遊技機において遊技している遊技者以外の人に対して当該遊技機を目立たせることが可能な遊技機を提供する。【解決手段】スロットマシン１は、遊技者による遊技に関する操作を受け付けるメダル投入口５６及びスタートレバーＳＬが配置された操作領域８０が前面に配置された筐体１０を備える。また、スロットマシン１は、筐体１０の前面に配置され、発光可能なサイドランプユニット６７Ｒを備える。更に、スロットマシン１は、幅方向においてサイドランプユニット６７Ｒと異なる位置に配置され、サイドランプユニット６７Ｒの光を筐体１０の幅方向における筐体１０の外側に向けて反射する上部反射面８６Ｒ及び下部反射面９１Ｒを備える。【選択図】図４
2018158031.tif 000002
【特許請求の範囲】
【請求項１】
遊技者による遊技に関する操作を受け付ける複数の操作部材が配置された操作領域が前面に配置された装置本体と、
前記装置本体の前面に配置され、発光可能なランプユニットと、
幅方向において前記ランプユニットと異なる位置に配置され、前記ランプユニットの光を前記装置本体の幅方向における前記装置本体の外側に向けて反射する反射面と、を備える、
ことを特徴とする遊技機。
【請求項２】
前記操作領域を前記ランプユニットよりも前方に突出させ、かつ前記操作領域を前記ランプユニットよりも前記装置本体の幅方向における内側に有する操作ユニットを備え、
前記操作ユニットの側面は、前記反射面を構成する、
ことを特徴とする請求項１に記載の遊技機。
【請求項３】
前記操作領域よりも下方に配置されるパネルと、
前記パネルを前記ランプユニットよりも前方に突出させ、かつ前記パネルを前記ランプユニットよりも前記装置本体の幅方向における内側で支持する支持部品と、を備え、
前記支持部品の側面は、前記反射面を構成する、
ことを特徴とする請求項１又は２に記載の遊技機。
【請求項４】
前記反射面は、凹凸形状に形成されている、
ことを特徴とする請求項１乃至３のいずれか１項に記載の遊技機。
【発明の詳細な説明】
【技術分野】
【０００１】
本発明は、遊技機に関する。
【背景技術】
【０００２】
従来、外周面に図柄が配列されたリールを複数有するリールユニットを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の興趣を向上させるために、遊技の進行に応じて演出するランプを備えている。
【０００３】
上述した遊技機においては、ランプとして、筐体の前面に設けられる前扉の前面左右縁部に上下方向に延びるサイド照明ユニットを有するものが案出されている（特許文献１参照）。特許文献１に記載のサイド照明ユニットの内部には、装置本体における幅方向の内側に、遊技者に向けて光を照射するための内側光源が配置され、装置本体における幅方向の外側に、装置本体における幅方向の外側に向けて光を照射するための外側光源が配置されている。特許文献１に記載の遊技機は、上記外側光源からの光によって、当該遊技機において遊技している遊技者以外の人に対しても遊技機を目立たせるように構成されている。
【先行技術文献】
【特許文献】
【０００４】
【特許文献１】特開２００９−１２５４９３号公報
【発明の概要】
【発明が解決しようとする課題】
【０００５】
しかしながら、特許文献１に記載の遊技機においては、専ら当該遊技機において遊技している遊技者以外の人に対して当該遊技機を目立たせるための外側光源がサイド照明ユニットに設けられることにより、サイド照明ユニットの構造が複雑になり、コストが増加する虞がある。
【０００６】
そこで、本発明は、コストの増加を防ぎつつ、当該遊技機において遊技している遊技者以外の人に対して当該遊技機を目立たせることが可能な遊技機を提供することを目的としている。
【課題を解決するための手段】
【０００７】
（１）本発明は、遊技者による遊技に関する操作を受け付ける複数の操作部材（５６，Ｂ１，Ｂ２，Ｂ３，ＢＳ，ＢＴ，ＭＢ，ＳＬ）が配置された操作領域（８０）が前面に配置された装置本体（１０）と、
前記装置本体の前面に配置され、発光可能なランプユニット（６７Ｌ，６７Ｒ）と、
幅方向において前記ランプユニットと異なる位置に配置され、前記ランプユニットの光を前記装置本体の幅方向における前記装置本体の外側に向けて反射する反射面（８６Ｌ，８６Ｒ，９１Ｌ，９１Ｒ）と、を備える、ことを特徴とする。
【０００８】
本発明では、ランプユニットと、ランプユニットの光を装置本体の幅方向における装置本体の外側に向けて反射する反射面と、を備えている。これにより、本発明は、当該遊技機において遊技している遊技者以外の人に対してランプユニットの光を反射面により反射させる簡単な構造で、コストの増加を防ぎつつ、当該遊技機において遊技している遊技者以外の人に対して当該遊技機を目立たせることができる。
【０００９】
（２）また、本発明は、前記操作領域を前記ランプユニットよりも前方に突出させ、かつ前記操作領域を前記ランプユニットよりも前記装置本体の幅方向における内側に有する操作ユニット（５３Ａ）を備え、
前記操作ユニットの側面は、前記反射面（８６Ｌ，８６Ｒ）を構成する、ことを特徴とする。
【００１０】
本発明では、ランプユニットよりも装置本体の幅方向における内側に配置される操作ユニットの側面が反射面であるように構成されている。これにより、本発明は、ランプユニットの光を装置本体の幅方向における装置本体の外側に向けて反射するために専用の部品を設ける必要がない。また、本発明では、装置本体の幅方向における内側に向けられて照射されたランプユニットの光を装置本体の外側に向けて反射させることにより、ランプユニットから当該遊技機において遊技している遊技者に対して照射された光を、当該遊技機において遊技している遊技者以外の人に対しても照射することができるので、コストが増加することを防ぎつつ、当該遊技機において遊技している遊技者以外の人に対して当該遊技機を目立たせることができる。
【００１１】
（３）また、本発明は、前記操作領域よりも下方に配置されるパネル（５５）と、
前記パネルを前記ランプユニットよりも前方に突出させ、かつ前記パネルを前記ランプユニットよりも前記装置本体の幅方向における内側で支持する支持部品（９０）と、を備え、
前記支持部品の側面は、前記反射面（９１Ｌ，９１Ｒ）を構成する、ことを特徴とする。
【００１２】
本発明では、ランプユニットよりも装置本体の幅方向における内側に配置される支持部品の側面が反射面であるように構成されている。これにより、本発明は、ランプユニットの光を装置本体の幅方向における装置本体の外側に向けて反射するために専用の部品を設ける必要がない。また、本発明では、装置本体の幅方向における内側に向けられて照射されたランプユニットの光を装置本体の外側に向けて反射させることにより、ランプユニットから当該遊技機において遊技している遊技者に対して照射された光を、当該遊技機において遊技している遊技者以外の人に対しても照射することができるので、コストが増加することを防ぎつつ、当該遊技機において遊技している遊技者以外の人に対して当該遊技機を目立たせることができる。
【００１３】
（４）また、本発明において、前記反射面は、凹凸形状に形成されている、ことを特徴とする。
【００１４】
この構成により、本発明では、ランプユニットの光を反射面により単に反射させるのではなく、反射面により反射されるランプユニットの光の方向を変化させることができるので、当該遊技機において遊技をしている遊技者以外の人に対して反射面により反射される光を目立たせることができる。
【発明の効果】
【００１５】
本発明によれば、コストの増加を防ぎつつ、当該遊技機において遊技している遊技者以外の人に対して当該遊技機を目立たせることができる。
【図面の簡単な説明】
【００１６】
【図１】本発明の実施形態における遊技機の外観構成を示す斜視図である。
【図２】本発明の実施形態における遊技機の筐体内を示す正面図である。
【図３】（Ａ）は、本発明の実施形態における遊技機のサイドランプを示す図であり、サイドランプを右上方から視た斜視図、（Ｂ）は、サイドランプを左上方から視た斜視図である。
【図４】本発明の実施形態における遊技機の外観構成を示す側面図である。
【図５】本発明の実施形態における遊技機の操作ユニット及び下パネルユニットを示す斜視図である。
【図６】本発明の実施形態の下パネルユニット及びサイドランプにおける図４に示すＡ−Ａ矢視断面図である。
【発明を実施するための形態】
【００１７】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００１８】
１．遊技機の全体構成
まず、本発明の実施の形態に係る遊技機としてのスロットマシン１の全体構成について図１及び図２に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した木製の装置本体である筐体１０を備えていると共に、この開口した筐体１０の前面を開閉可能な前扉５０により被覆して構成されている。前扉５０は、開閉可能に筐体１０に連結された扉フレーム５０Ａを有しており、扉フレーム５０Ａに対して各種部品が固定されるように構成されている。また、筐体１０の内部には、図２に示すように、複数のリールとしての第１リールＲ１〜第３リールＲ３を備えたリールユニット３０が収められていると共に、このリールユニット３０の下部には、メダルの払出装置としてのホッパーユニット２０が収められている。
【００１９】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００２０】
また、上記リールユニット３０の上方には、前扉５０の裏側に配設された副制御基板ユニット（不図示）と共に遊技機の制御基板を構成する主制御基板ユニット４１が設けられている。主制御基板ユニット４１は、ＣＰＵ、ＲＯＭ（情報記憶媒体の一例）、ＲＡＭ等を搭載し、遊技を実行するための各種の演算を行って上記リールユニット３０や、ホッパーユニット２０等の動作を制御する。更に、筐体１０の高さ方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１は、リールユニット３０やホッパーユニット２０等の他ユニットと接続されている。
【００２１】
前扉５０は、図１に示すように、扉の上部、中央部、下部にそれぞれ、演出用の絵柄や配当表などを表示する上パネル５７、中央パネル５２、下パネル５５が設けられており、中央パネル５２には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００２２】
また、本実施形態のスロットマシン１では、表示窓５１を通じて図柄を観察するための表示位置として、各リールについて上段、中段、下段が設けられており、各リールの表示位置の組合せ（本実施の形態では中段一列）によって有効ラインＬ１が設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬ１が有効化される。
【００２３】
更に、中央パネル５２には、第１リールＲ１〜第３リールＲ３の停止順序（以下、打順ともいう）を報知する第１ナビランプＮＬ１〜第３ナビランプＮＬ３が表示窓５１の上方に設けられており、第１リールＲ１〜第３リールＲ３にそれぞれ対応する第１ナビランプＮＬ１〜第３ナビランプＮＬ３が点灯することによって、遊技者に打順を報知するようになっている。また、中央パネル５２の表示窓５１の下方には、ＬＥＤ、ランプ、７セグメント表示器等からなる遊技情報表示部ＤＳが設けられており、遊技情報表示部ＤＳにはメダルのクレジット数、１回の遊技におけるメダルの払出数あるいは獲得数、今回の遊技で当選した役の情報に係る報知表示、有利期間（有利区間）等の各種遊技情報が表示されるようになっている。
【００２４】
また、前扉５０は、下パネル５５が設けられる扉下部分５３が中央パネル５２のパネル面よりも前方に突出して設けられている。扉下部分５３は、各種の操作手段が設けられる操作ユニット５３Ａと、操作ユニット５３Ａの下方に配置され、下パネル５５が設けられる下パネルユニット５３Ｂと、下パネルユニット５３Ｂの下方に配置される下皿ユニット５３Ｃと、を有している。操作ユニット５３Ａに設けられた操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタンＢＳなどがある。
【００２５】
更に、操作ユニット５３Ａには、遊技者がメダルを投入するための操作手段であるメダル投入口５６が設けられており、このメダル投入口５６から投入されたメダルは、扉下部分５３の裏側に設けられたセレクタ（不図示）によってカウントされてホッパーユニット２０へと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作を行う又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット４１において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。操作手段であるシングルベットボタンＢＴ、マックスベットボタンＭＢ、精算ボタンＢＳ、メダル投入口５６、スタートレバーＳＬ及びストップボタンＢ１〜ストップボタンＢ３は、本実施形態における複数の操作部材を構成する。
【００２６】
その後、遊技者が任意のタイミングでストップボタンＢ１〜ストップボタンＢ３を押下（以下、「押下タイミング」と記載）していくと、第１ストップボタンＢ１〜第３ストップボタンＢ３のそれぞれに内蔵されている停止信号出力手段としてのストップスイッチ（不図示）がオン動作を行い、主制御基板ユニット４１へ出力するリール停止信号をオフ状態からオン状態に変化させる。また、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット４１へ出力するリール停止信号をオン状態からオフ状態に変化させる。
【００２７】
そして、主制御基板ユニット４１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２８】
また、主制御基板ユニット４１は、第１リールＲ１〜第３リールＲ３を停止させた後に、有効ラインＬ１上に停止している図柄の組合せに応じて、各種処理を実行する。主制御基板ユニット４１が実行する各種処理としては、例えば、有効ラインＬ１上に停止している図柄の組合せが複数種類の役のうち入賞した図柄の組合せがメダルの払い出しを伴う小役の図柄組合せである場合、つまり小役が入賞した場合には、入賞した小役に設定されている配当に基づきホッパーユニット２０からメダルを払い出す払出処理や、有効ラインＬ１上に停止している図柄の組合せが複数種類の役のうち遊技者にメダルを消費させることなく１回遊技を実行可能にする役であるリプレイの図柄組合せである場合には、今回の遊技における規定投入数のメダルを投入状態に設定するリプレイ処理等がある。
【００２９】
また、下皿ユニット５３Ｃには、メダル払出口５９とメダル受け皿６０とが設けられており、遊技の結果に応じた枚数のメダルがメダル払出口５９からメダル受け皿６０へ払い出されるようになっている。また、例えば、遊技機内にクレジットされたメダルが記憶されている状態で、精算ボタンＢＳが押下された場合、精算ボタンＢＳの押下に伴ってホッパーユニット２０からクレジット数（クレジットされたメダルの枚数）に相当する枚数のメダルを払い出す精算処理を実行し、メダル払出口５９からメダル受け皿６０へメダルを払い出す。
【００３０】
更に、前扉５０には、遊技を盛り上げるために音響装置６１Ｌ，６１Ｒ，６２Ｌ，６２Ｒや、ランプ装置６３，６５，６７Ｌ，６７Ｒなどの複数の演出装置が設けられている。具体的には、前扉５０の上部及び下部の左右端部には、それぞれ上部スピーカー６１Ｌ，６１Ｒ及び下部スピーカー６２Ｌ，６２Ｒが設けられており、遊技を補助したり、遊技を盛り上げたりするための各種の音声が出力される。
【００３１】
また、前扉５０の上部には、演出用役物としてアーチランプ６３及び回転灯６５が設けられている。アーチランプ６３は、左右の上部スピーカー６１Ｌ，６１Ｒの間に配置されており、レンズユニットが前方に向かって湾曲して構成されている。また、回転灯６５は、上記アーチランプ６３の下方でかつ上パネル５７の前面に設けられており、光源の周りを回転部材が回転する回転灯装置によって構成されている。更に、前扉５０の側端部には、左右のサイドランプユニット６７Ｌ，６７Ｒが設けられており、これら左右のサイドランプユニット６７Ｌ，６７Ｒは、扉下部分５３の側方から上部スピーカー６１Ｌ，６１Ｒの側方まで、前扉５０の上下方向略全長に亘って延設されている。これらアーチランプ６３、回転灯６５及びサイドランプユニット６７Ｌ，６７Ｒ等のランプ装置は、遊技に合わせて点灯して演出用の照明装置として機能したり、遊技に係る情報を遊技者に報知する報知装置として機能する。サイドランプユニット６７Ｌ，６７Ｒは、本実施形態におけるランプユニットを構成する。
【００３２】
２．サイドランプユニット、操作ユニット及び下パネルユニットの詳細構成
次に、図３乃至図５を参照して、サイドランプユニット６７Ｒ、操作ユニット５３Ａ及び下パネルユニット５３Ｂを説明する。なお、本実施形態のスロットマシン１では、サイドランプユニット６７Ｌ及びサイドランプユニット６７Ｒが略左右対称に形成されているので、以下のサイドランプユニットの説明においては、サイドランプユニット６７Ｒのみを説明し、サイドランプユニット６７Ｌの説明を省略する。また、以下の説明において、筐体１０における幅方向を左右方向と定義し、サイドランプユニット６７Ｌが配置されている側を左側、サイドランプユニット６７Ｒが配置されている側を右側と定義する。更に、筐体１０に対して前扉５０が配置されている方向を前方と定義する。また、本実施形態のスロットマシン１の説明においては、前扉５０が筐体１０の前面を閉じた状態におけるサイドランプユニット６７Ｒ、操作ユニット５３Ａ及び下パネルユニット５３Ｂを基準として説明する。
【００３３】
＜サイドランプユニット＞
図３（Ａ）は、本実施形態のサイドランプユニット６７Ｒを右上方から視た斜視図であり、図３（Ｂ）は、本実施形態のサイドランプユニット６７Ｒを左上方から視た斜視図である。また、図４は、本実施形態のスロットマシン１を示す右側面図である。サイドランプユニット６７Ｒは、扉フレーム５０Ａに固定されており、図３（Ａ）及び図３（Ｂ）に示すように、複数のＬＥＤ素子が上下方向に並んで前方を照射するように配置されたＬＥＤ基板７０（図６参照）と、ＬＥＤ基板７０を覆うように上下方向に延びた形状であるカバー部７１と、を有している。カバー部７１は、光を通し、ＬＥＤ基板７０から発せられた光を拡散するサイドレンズ７４と、サイドレンズ７４の上方を覆い、光を通さない上部遮光カバー７２と、サイドレンズ７４の下方に配置され、光を通さない下部遮光カバー７３と、から構成される。
【００３４】
サイドレンズ７４は、下パネルユニット５３Ｂの側方から上部スピーカー６１Ｒの側方まで上下方向に延びた形状に形成されている。サイドレンズ７４には、ＬＥＤ基板７０の前方に配置される外側前面レンズ７５及び内側前面レンズ７６と、ＬＥＤ基板７０の前方かつＬＥＤ基板７０よりも幅方向における筐体１０の外側に配置される外側レンズ７７と、ＬＥＤ基板７０の前方かつＬＥＤ基板７０よりも幅方向における筐体１０の内側に配置される内側レンズ７８と、が設けられている。
【００３５】
外側前面レンズ７５は、図４に示すように、上下方向の中央から上方又は下方に向かうに従って、前方に突出するように湾曲形状に形成されている。本実施形態のスロットマシン１では、外側前面レンズ７５における上下方向の中央が操作ユニット５３Ａの上端よりも上方に配置されるように構成されている。つまり、外側前面レンズ７５は、操作ユニット５３Ａ及び下パネルユニット５３Ｂが配置される領域において、下方に向かうに従って、前方に突出するように構成されている。
【００３６】
内側前面レンズ７６は、外側前面レンズ７５の左側部に連続して設けられており、外側前面レンズ７５と略同様に、上下方向の中央から上方又は下方に向かうに従って、前方に突出するように湾曲形状に形成されている。内側前面レンズ７６は、右側が左側よりも前方に位置するように傾斜して配置されており、外側前面レンズ７５は、左側が右側よりも前方に位置するように傾斜して配置されている。これにより、内側前面レンズ７６は、ＬＥＤ基板７０から照射された光を、幅方向における筐体１０の内側に向かって拡散し、外側前面レンズ７５は、ＬＥＤ基板７０から照射された光を、幅方向における筐体１０の外側に向かって拡散する。
【００３７】
外側レンズ７７は、図３（Ａ）に示すように、外側前面レンズ７５の右端から後方に向かって延びて、扉フレーム５０Ａに当接するように形成されている。外側レンズ７７は、湾曲形状に形成された外側前面レンズ７５に沿うように、上下方向の中央から上方又は下方に向かうに従って前後方向の幅が広くなる。外側レンズ７７及び外側前面レンズ７５の接続部分には、面取りされた面取り部７９が形成されている。また、内側レンズ７８は、図３（Ｂ）に示すように、内側前面レンズ７６の左端から後方に向かって延びるように形成されている。
【００３８】
サイドレンズ７４は、内側レンズ７８の下部において、幅方向における筐体１０の内側に向かって延びる板形状の板部７８Ａを有している。板部７８Ａは、操作ユニット５３Ａ及び下パネルユニット５３Ｂに対応して上下方向に亘って延設されている。また、サイドレンズ７４は、下部遮光カバー７３から幅方向における筐体１０の内側に向かって突出した突出部７３Ａを有している。スロットマシン１では、操作ユニット５３Ａ及び下パネルユニット５３Ｂの後端が板部７８Ａ及び突出部７３Ａの前面に当接して前後方向において位置決めされる。
【００３９】
＜操作ユニット＞
操作ユニット５３Ａは、図４に示すように、サイドランプユニット６７Ｒよりも前方に突出するように配置されている。操作ユニット５３Ａは、図５に示すように、各種の操作手段が配置された操作領域８０を有しており、操作領域８０は、操作ユニット５３Ａの上面を構成する上面操作領域８１と、上面操作領域８１の前端から下方に向かって延び、操作ユニット５３Ａの前面を構成する前面操作領域８２と、を有している。上面操作領域８１には、シングルベットボタンＢＴ、マックスベットボタンＭＢ、精算ボタンＢＳ及びメダル投入口５６が設けられている。
【００４０】
また、前面操作領域８２は、左から順に左前面８３Ｌ、中央前面８４及び右前面８３Ｒを有しており、左前面８３Ｌ及び右前面８３Ｒが略左右対称に形成されている。左前面８３Ｌ及び右前面８３Ｒには、前方に向かって突出する複数の凸部８５Ａと後方に向かって窪んだ複数の凹部８５Ｂとが左右方向に延びる筋形状に形成されている。すなわち、左前面８３Ｌ及び右前面８３Ｒでは、縞模様を形成するように、複数の凸部８５Ａ及び凹部８５Ｂが上下方向に交互に並んで配置されている。また、左前面８３Ｌには、スタートレバーＳＬが設けられ、中央前面８４には、ストップボタンＢ１〜ストップボタンＢ３が設けられている。
【００４１】
ここで、操作ユニット５３Ａは、操作領域８０の左右それぞれの側方において、操作ユニット５３Ａの側面を構成する上部反射面８６Ｌ，８６Ｒを有している。なお、本実施形態のスロットマシン１では、上部反射面８６Ｌ及び上部反射面８６Ｒが略左右対称に形成されているので、以下の上部反射面の説明においては、上部反射面８６Ｒのみを説明し、上部反射面８６Ｌの説明を省略する。上部反射面８６Ｒは、上端が上面操作領域８１の右端に連結され、前端が右前面８３Ｒの右端に連結され、後端がサイドランプユニット６７Ｒの板部７８Ａの前面に当接する。上部反射面８６Ｒは、前後方向に並んで配置される２種類の面を有しており、右前面８３Ｒの右端から後方かつ幅方向における筐体１０の外側に向かって延び、幅方向における筐体１０の外側の表面が凹凸形状に形成された凹凸面８７と、凹凸面８７の後端から後方に向かって延び、後端がサイドランプユニット６７Ｒの板部７８Ａの前面に当接する合わせ面８８と、を有している。
【００４２】
凹凸面８７は、黒色に着色されており、右前面８３Ｒにおける複数の凸部８５Ａ及び凹部８５Ｂに繋がるように形成されている複数の凸部８７Ａ及び凹部８７Ｂを有している。複数の凸部８７Ａは、側方に向かって突出し、前後方向に延びる筋形状に形成されており、複数の凸部８５Ａと略同様に上下方向に並んで配置されているが、後方に向かうに従って上下方向の幅が広くなるように形成されている。すなわち、複数の凹部８７Ｂは、後方に向かうに従って上下方向の幅が狭くなるように、上辺が下辺に対して平行ではなく傾いて形成されている。
【００４３】
＜下パネルユニット＞
下パネルユニット５３Ｂは、図４及び図５に示すように、扉フレーム５０Ａから前方に向かって延びる支持部品９０と、支持部品９０の前端に支持される下パネル５５と、を有している。支持部品９０の前端には、枠形状に形成された下パネル枠９０Ａが設けられており、下パネル枠９０Ａに下パネル５５が取り付けられている。下パネル５５には、スロットマシン１に関する情報が表示されており、例えば、スロットマシン１の機種名、スロットマシン１における演出として用いられるイラスト、そのイラストの版権名、標章等が記載されていてもよい。なお、下パネルは、液晶パネルで構成され、スロットマシン１に関する情報が動画として表示されるように構成されてもよい。また、下パネル５５は、遊技者による演出に関する操作を受け付ける操作部材として、設けられていてもよい。
【００４４】
本実施形態の支持部品９０は、サイドランプユニット６７Ｒよりも前方に突出するように配置されている。つまり、下パネル枠９０Ａ及び下パネル５５は、サイドランプユニット６７Ｒよりも前方に突出するように配置されている。支持部品９０は、支持部品９０の側面として、下パネル５５よりも筐体１０の幅方向における外側に配置される下部反射面９１Ｌ，９１Ｒを有している。なお、本実施形態のスロットマシン１では、下部反射面９１Ｌ及び下部反射面９１Ｒが略左右対称に形成されているので、以下の下部反射面の説明においては、下部反射面９１Ｒのみを説明し、下部反射面９１Ｌの説明を省略する。
【００４５】
下部反射面９１Ｒは、前後方向に並んで配置される２種類の面を有しており、下パネル枠９０Ａの右端から後方かつ幅方向における筐体１０の外側に向かって延び、幅方向における筐体１０の外側の表面が凹凸形状に形成された凹凸面９２と、凹凸面９２の後端から後方に向かって延び、後端がサイドランプユニット６７Ｒの板部７８Ａ及び突出部７３Ａの前面に当接する合わせ面９３と、を有している。
【００４６】
下部反射面９１Ｒの凹凸面９２は、上部反射面８６Ｒの凹凸面８７と略同様に、黒色に着色されており、前後方向に亘って側方に突出して形成された複数の凸部９２Ａと、上下方向に並ぶ複数の凸部９２Ａに挟まれて形成される複数の凹部９２Ｂと、を有している。複数の凸部９２Ａは、複数の凸部８７Ａと略同様に、上下方向に並んで配置されており、それぞれ後方に向かうに従って上下方向の幅が広くなるように形成されている。すなわち、複数の凹部９２Ｂは、後方に向かうに従って上下方向の幅が狭くなるように、上辺が下辺に対して平行ではなく傾いて形成されている。このように、下部反射面９１Ｌ，９１Ｒは、支持部品９０の側面であると共に、本実施形態における反射面を構成し、上部反射面８６Ｌ，８６Ｒは、操作ユニット５３Ａの側面であると共に、本実施形態における反射面を構成する。また、下パネル５５は、本実施形態におけるパネルを構成する。
【００４７】
図６は、サイドランプユニット６７Ｒ及び下パネルユニット５３Ｂにおける図４に示すＡ−Ａ矢視断面図である。本実施形態のスロットマシン１では、図６に示ように、合わせ面９３がサイドランプユニット６７Ｒの内側レンズ７８に当接するように配置され、凹凸面９２と合わせ面９３との接続部がサイドランプユニット６７Ｒの内側前面レンズ７６よりも後方に配置されている。従って、本実施形態のスロットマシン１では、前後方向におけるサイドランプユニット６７Ｒの前端位置である位置Ｐよりも後方において、凹凸面９２と内側レンズ７８との間に空間Ｓが設けられている。ところで、本実施形態の複数の凹部９２Ｂのそれぞれにおける上下方向の幅は、凹部９２Ｂの上辺を構成して幅方向に延びる上壁９５と、凹部９２Ｂの下辺を構成して上壁９５に対向する下壁９６と、内側レンズ７８又は内側前面レンズ７６と、の３点によって、メダルの表面若しくは裏面と円周部である側面との間の角が挟み込まれて、メダル自体が挟み込まれてしまうことを防止することが可能な幅となるように構成されている。例えば、複数の凹部９２Ｂのそれぞれは、位置Ｐ及び位置Ｐよりも後方の位置において、上下方向の幅がメダルの厚さよりも小さくなるように形成されており、下部反射面９１Ｒの凹部９２Ｂとサイドランプユニット６７Ｒとの間にメダルが挟み込まれることの防止を図っている。
【００４８】
また、本実施形態のスロットマシン１では、操作ユニット５３Ａにおいても略同様に、合わせ面８８（図５参照）が内側レンズ７８に当接するように配置され、凹凸面８７と合わせ面８８との接続部がサイドランプユニット６７Ｒの内側前面レンズ７６よりも後方に配置されている。従って、本実施形態のスロットマシン１では、前後方向におけるサイドランプユニット６７Ｒの前端位置よりも後方において、凹凸面８７と内側レンズ７８との間に空間が設けられている。しかしながら、本実施形態スロットマシン１では、操作ユニット５３Ａが配置される高さにおけるサイドランプユニット６７Ｒの前後方向の幅が、下パネルユニット５３Ｂが配置される高さにおけるサイドランプユニット６７Ｒの前後方向の幅よりも狭く構成されている。従って、凹凸面８７と内側レンズ７８との間の空間が前後方向において、空間Ｓより狭いので、メダルが挟み込まれにくくなっている。
【００４９】
３．上部反射面及び下部反射面によるサイドランプユニットの光の反射
ついで、サイドランプユニット６７Ｌ，６７Ｒの点灯時における上部反射面８６Ｌ，８６Ｒ及び下部反射面９１Ｌ，９１Ｒによる光の反射について説明する。なお、上述したように、サイドランプユニット６７Ｌ，６７Ｒ、上部反射面８６Ｌ，８６Ｒ及び下部反射面９１Ｌ，９１Ｒが略左右対称に形成されているので、サイドランプユニット６７Ｒの点灯時における上部反射面８６Ｒ及び下部反射面９１Ｒによる光の反射についてのみ説明し、サイドランプユニット６７Ｌの点灯時における上部反射面８６Ｌ及び下部反射面９１Ｌによる光の反射についての説明を省略する。
【００５０】
サイドランプユニット６７Ｒは、図６に示すように、ＬＥＤ基板７０から発せられた光がサイドレンズ７４により前方及び左右方向に拡散される。例えば、ＬＥＤ基板７０の光は、サイドレンズ７４の外側前面レンズ７５により、前方かつ幅方向における筐体１０の外側に向かう矢印Ａの方向に照射されて、当該スロットマシン１における遊技者以外の人に向かって照射される。また、ＬＥＤ基板７０の光は、サイドレンズ７４の内側レンズ７８及び内側前面レンズ７６により、前方かつ幅方向における筐体１０の内側に向かう矢印Ｂの方向に照射されて、下部反射面９１Ｒの凹凸面９２に照射される。凹凸面９２に照射された光は、凹凸面９２により、幅方向における筐体１０の外側に向かう矢印Ｃの方向に反射され、当該スロットマシン１における遊技者以外の人に対して照射される。また、本実施形態における上部反射面８６Ｒにおける凹凸面８７も、下部反射面９１Ｒの凹凸面９２と略同様に、サイドランプユニット６７Ｒから幅方向における筐体１０の内側に向けて照射された光を、幅方向における筐体１０の外側に向けて反射させ、当該スロットマシン１における遊技者以外の人に対して照射する。
【００５１】
このように、本実施形態のスロットマシン１は、筐体１０の幅方向における内側に向けられて照射されたサイドランプユニット６７Ｒの光を、サイドランプユニット６７Ｒよりも幅方向における筐体１０の内側に配置された部材であり、サイドランプユニット６７Ｒよりも前方に突出した部材である下部反射面９１Ｒの凹凸面９２及び上部反射面８６Ｒの凹凸面８７により筐体１０の外側に向けて反射することができる。これにより、本実施形態のスロットマシン１は、サイドランプユニット６７Ｒの構造が複雑になることを防ぎつつ、サイドランプユニット６７Ｒから当該スロットマシン１において遊技している遊技者に対して照射された光を、当該スロットマシン１における遊技者以外の人に対しても照射することができるので、コストの増加を防ぎつつ、当該スロットマシン１における遊技者以外の人に対して当該スロットマシン１を目立たせることができる。
【００５２】
また、本実施形態の下部反射面９１Ｒ及び上部反射面８６Ｒは、前後方向に延びる複数の凸部９２Ａ、凹部９２Ｂ、凸部８７Ａ及び凹部８７Ｂを有するので、サイドランプユニット６７Ｒによる光を単に反射させるのではなく、下部反射面９１Ｒ及び上部反射面８６Ｒに映る光を前後方向に延びる筋形状に変化させることができ、当該スロットマシン１における遊技者以外の人に対して、凹凸面９２により反射される光を目立たせることができる。また、本実施形態の下部反射面９１Ｒ及び上部反射面８６Ｒは、凸部９２Ａ、凹部９２Ｂ、凸部８７Ａ及び凹部８７Ｂにより、サイドランプユニット６７Ｒによる光を乱反射させるので、当該スロットマシン１における遊技者以外の人の見る位置に応じて、光の見え方が変化し、当該スロットマシン１における遊技者以外の人に対して、凹凸面９２により反射される光を目立たせることができる。
【００５３】
また、本実施形態の凹凸面８７及び凹凸面９２は、凹凸形状に形成されているので、平面形状に形成された場合よりも、サイドランプユニット６７Ｒによる光を反射する面積が広く、反射した光を遊技者以外の人に対して目立たせることができる。更に、凹凸面８７及び凹凸面９２は、表面が複数の方向を向いているので、サイドランプユニット６７Ｒによる光を複数の方向に反射し、平面形状の反射面よりも、反射した光を遊技者以外の人に対して目立たせることができる。
【００５４】
また、本実施形態のスロットマシン１では、凹凸面８７及び凹凸面９２において、サイドランプユニット６７Ｒの光で照らされていない箇所が黒色により暗く見え、サイドランプユニット６７Ｒの光で照らされている箇所が明るく見えることにより、サイドランプユニット６７Ｒの光で照らされている箇所が相対的に明るく見える。仮に、凹凸面８７及び凹凸面９２が白色で着色されていた場合には、サイドランプユニット６７Ｒの光で照らされていない箇所も白色により明るく見え、サイドランプユニット６７Ｒの反射光が目立ちにくくなってしまう虞がある。このように、本実施形態のスロットマシン１では、凹凸面８７及び凹凸面９２が黒色に着色されていることにより、凹凸面８７及び凹凸面９２によるサイドランプユニット６７Ｒの反射光が目立ち、サイドランプユニット６７Ｒの反射光が綺麗に認識できる。
【００５５】
以上のように、本実施形態のスロットマシン１は、発明者による遊技に関する操作を受け付けるシングルベットボタンＢＴ、マックスベットボタンＭＢ、精算ボタンＢＳ、メダル投入口５６、スタートレバーＳＬ及びストップボタンＢ１〜ストップボタンＢ３が配置された操作領域８０が前面に配置された筐体１０と、操作領域８０よりも筐体１０の幅方向における外側に配置され、発光可能なサイドランプユニット６７Ｌ，６７Ｒと、操作領域８０よりも筐体１０の幅方向における外側に配置され、サイドランプユニット６７Ｌ，６７Ｒの光を筐体１０の幅方向における筐体１０の外側に向けて照射する上部反射面８６Ｌ，８６Ｒ及び下部反射面９１Ｌ，９１Ｒと、を備えている。
【００５６】
これにより、本実施形態のスロットマシン１は、当該スロットマシン１において遊技している遊技者以外の人に対してサイドランプユニット６７Ｌ，６７Ｒの光を上部反射面８６Ｌ，８６Ｒ及び下部反射面９１Ｌ，９１Ｒにより反射させる簡単な構造で、コストの増加を防ぎつつ、当該スロットマシン１における遊技者以外の人に対して当該スロットマシン１を目立たせることができる。
【００５７】
また、本実施形態のスロットマシン１は、操作領域８０をサイドランプユニット６７Ｌ，６７Ｒよりも前方に突出させ、かつ操作領域８０をサイドランプユニット６７Ｌ，６７Ｒよりも筐体１０の幅方向における内側に有する操作ユニット５３Ａを備え、上部反射面８６Ｌ，８６Ｒが操作ユニット５３Ａの側面であるように構成されている。また、本実施形態のスロットマシン１は、操作領域８０よりも下方に配置された下パネル５５と、下パネル５５をサイドランプユニット６７Ｌ，６７Ｒよりも前方に突出させ、かつ下パネル５５をサイドランプユニット６７Ｌ，６７Ｒよりも筐体１０の幅方向における内側で支持する支持部品９０と、を備え、下部反射面９１Ｌ，９１Ｒが支持部品９０の側面であるように構成されている。
【００５８】
これにより、本実施形態のスロットマシン１は、サイドランプユニット６７Ｌ，６７Ｒの光を幅方向における筐体１０の外側に向けて反射するために専用の部品を設ける必要がない。また、本実施形態のスロットマシン１では、筐体１０の幅方向における内側に向けられて照射されたサイドランプユニット６７Ｌ，６７Ｒの光を筐体１０の外側に向けて反射させることにより、サイドランプユニット６７Ｌ，６７Ｒのそれぞれから当該スロットマシン１における遊技者に対して照射された光を、当該スロットマシン１における遊技者以外の人に対しても照射することができるので、コストが増加することを防ぎつつ、当該スロットマシン１における遊技者以外の人に対して当該スロットマシン１を目立たせることができる。
【００５９】
また、本実施形態のスロットマシン１は、上部反射面８６Ｌ，８６Ｒ及び下部反射面９１Ｌ，９１Ｒが凹凸形状に形成されている。これにより、本実施形態のスロットマシン１は、サイドランプユニット６７Ｌ，６７Ｒによる光を単に反射させるのではなく、上部反射面８６Ｌ，８６Ｒ及び下部反射面９１Ｌ，９１Ｒにより反射されるサイドランプユニット６７Ｌ，６７Ｒの光の方向を変化させることができるので、当該スロットマシン１における遊技者以外の人に対して上部反射面８６Ｌ，８６Ｒ及び下部反射面９１Ｌ，９１Ｒにより反射される光を目立たせることができる。
【００６０】
４．変形例
なお、本実施形態のスロットマシン１では、サイドランプユニット６７Ｌ，６７Ｒが、扉下部分５３の側方から上部スピーカー６１Ｌ，６１Ｒの側方まで、前扉５０の上下方向略全長に亘って延設されるように構成されているが、これに限らず、１個又は複数の丸型の電球等から構成されていてもよい。サイドランプユニットは、前扉５０に配置されるように構成されていれば、本実施形態の形状に限らない。
【００６１】
また、本実施形態のスロットマシン１では、サイドランプユニット６７Ｌ，６７ＲがＬＥＤ基板７０により発光するように構成されているが、これに限らず、白熱電球又は蛍光灯により発光するように構成されていてもよい。サイドランプユニットは、前扉５０に配置されるように構成されていれば、本実施形態の発光方法に限らない。
【００６２】
また、本実施形態のスロットマシン１では、操作領域８０にシングルベットボタンＢＴ、マックスベットボタンＭＢ、精算ボタンＢＳ、メダル投入口５６、スタートレバーＳＬ及びストップボタンＢ１〜ストップボタンＢ３が配置されるように構成されているが、これに限らず、シングルベットボタンＢＴ、マックスベットボタンＭＢ、精算ボタンＢＳ、メダル投入口５６、スタートレバーＳＬ及びストップボタンＢ１〜ストップボタンＢ３のうち、いずれか複数の操作部材が操作領域８０に配置されるように構成されていてもよい。スロットマシン１は、遊技者による遊技に関する操作を受け付ける複数の操作部材が配置された操作領域が前面に配置された装置本体を備えるように構成されていれば、本実施形態に限らない。
【００６３】
また、本実施形態のスロットマシン１では、上部反射面８６Ｌ，８６Ｒ及び下部反射面９１Ｌ，９１Ｒが、幅方向においてサイドランプユニット６７Ｌ，６７Ｒよりも内側に配置されるように構成されているが、これに限らず、上部反射面８６Ｌ，８６Ｒ及び下部反射面９１Ｌ，９１Ｒが、幅方向においてサイドランプユニット６７Ｌ，６７Ｒよりも外側に配置されるように構成されていてもよい。
【００６４】
また、本実施形態のスロットマシン１では、操作ユニット５３Ａの上部反射面８６Ｌ，８６Ｒ及び下パネルユニット５３Ｂの下部反射面９１Ｌ，９１Ｒがサイドランプユニット６７Ｌ，６７Ｒよりも前方に突出するように構成されているが、これに限らず、中央パネル５２を支持する支持部材がサイドランプユニット６７Ｌ，６７Ｒよりも前方に突出しており、支持部材の側面がサイドランプユニット６７Ｌ，６７Ｒの光を筐体１０の幅方向における筐体１０の外側に向けて反射する反射面であるように構成されていてもよい。また、サイドランプユニット６７Ｌ，６７Ｒが下皿ユニット５３Ｃの側方まで延びており、下皿ユニット５３Ｃの側面が反射面であるように構成されていてもよい。スロットマシン１は、サイドランプユニット６７Ｌ，６７Ｒの光を筐体１０の幅方向における筐体１０の外側に向けて反射する反射面を備えるように構成されていれば、本実施形態の反射面に限らない。
【００６５】
また、本実施形態のスロットマシン１では、上部反射面８６Ｌ，８６Ｒ及び下部反射面９１Ｌ，９１Ｒが前方に向かうに従って幅方向における筐体１０の内側に傾斜して形成されているが、これに限らない。スロットマシン１では、上部反射面８６Ｌ，８６Ｒ及び下部反射面９１Ｌ，９１Ｒが前方に向かうに従って幅方向における筐体１０の外側に傾斜して形成され、上部反射面８６Ｌ，８６Ｒ及び下部反射面９１Ｌ，９１Ｒとサイドランプユニット６７Ｌ，６７Ｒとが幅方向において一部重なって配置されるように構成されていてもよい。スロットマシン１は、幅方向においてサイドランプユニット６７Ｌ，６７Ｒと異なる位置に配置され、サイドランプユニット６７Ｌ，６７Ｒの光を筐体１０の幅方向における筐体１０の外側に向けて反射する反射面を備えるように構成されていれば、本実施形態に限らない。
【００６６】
また、スロットマシン１では、凹凸面８７及び凹凸面９２が幅方向においてサイドランプユニット６７Ｌ，６７Ｒと異なる位置に配置されるように構成されていれば、本実施形態に限らず、例えば、凹凸面が上パネル５７や中央パネル５２の側方、ランプ装置６３，６５の側方等に配置されていてもよい。
【００６７】
また、本実施形態のスロットマシン１では、操作ユニット５３Ａの側面における全面が上部反射面８６Ｌ，８６Ｒであるように構成されているが、これに限らず、操作ユニット５３Ａの側面における一部が、サイドランプユニット６７Ｌ，６７Ｒの光を反射する反射面であるように構成されていてもよい。本実施形態の操作ユニット５３Ａの側面は、サイドランプユニット６７Ｌ，６７Ｒの光を筐体１０の幅方向における筐体１０の外側に向けて反射する反射面を構成していれば、本実施形態に限らない。
【００６８】
また、本実施形態のスロットマシン１では、下パネルユニット５３Ｂの側面における全面が下部反射面９１Ｌ，９１Ｒではなく、下パネルユニット５３Ｂの側面における一部が、サイドランプユニット６７Ｌ，６７Ｒの光を反射する反射面であるように構成されていてもよい。本実施形態の下パネルユニット５３Ｂの側面は、サイドランプユニット６７Ｌ，６７Ｒの光を筐体１０の幅方向における筐体１０の外側に向けて反射する反射面を構成していれば、本実施形態に限らない。
【００６９】
また、本実施形態のスロットマシン１は、上部反射面８６Ｌ，８６Ｒ及び下部反射面９１Ｌ，９１Ｒを有するように構成されているが、これに限らず、上部反射面８６Ｌ，８６Ｒ及び下部反射面９１Ｌ，９１Ｒのいずれかを有するように構成されていてもよい。また、スロットマシン１は、上部反射面８６Ｌ，８６Ｒ及び下部反射面９１Ｌ，９１Ｒが左右非対称に形成されるように構成されていてもよい。
【００７０】
また、下部反射面９１Ｌ，９１Ｒは、幅方向において、上部反射面８６Ｌ，８６Ｒと異なる位置に配置されていてもよい。例えば、スロットマシン１は、下パネルユニット５３Ｂの幅が操作ユニット５３Ａの幅よりも狭く、下部反射面９１Ｌ，９１Ｒが上部反射面８６Ｌ，８６Ｒよりも幅方向において筐体１０の内側に配置されるように構成されていてもよい。また、このように構成されている場合には、下部反射面９１Ｌ，９１Ｒよりも幅方向における外側かつ上部反射面８６Ｌ，８６Ｒよりも幅方向における内側にランプユニットが配置され、ランプユニットの光が下部反射面９１Ｌ，９１Ｒにより幅方向における筐体１０の外側に向かって反射するように構成されていてもよい。
【００７１】
また、本実施形態のスロットマシン１では、上部反射面８６Ｌ，８６Ｒ及び下部反射面９１Ｌ，９１Ｒにおいて、前後方向に延びる凸部８７Ａ、凹部８７Ｂ、凸部９２Ａ及び凹部９２Ｂを有するように構成されているが、これに限らず、上下方向に延びる凸部及び凹部を有するように構成されていてもよく、曲線で形成された凸部及び凹部を有するように構成されていてもよい。スロットマシン１では、サイドランプユニット６７Ｌ，６７Ｒの光を筐体１０の幅方向における筐体１０の外側に向けて反射する反射面が凹凸形状に形成されるように構成されていれば、本実施形態に限らない。
【００７２】
また、本実施形態において、凸部８７Ａ、凹部８７Ｂ、凸部９２Ａ及び凹部９２Ｂは、後方に向かうに従って上下方向の幅が変化するように構成されているが、これに限らず、前後方向において上下方向の幅が一定であるように構成されていてもよい。
【００７３】
また、本実施形態のスロットマシン１は、図６に示す位置Ｐにおいて、凹凸面９２とサイドレンズ７４との間に空間Ｓを有するように構成されているが、これに限らず、位置Ｐにおいて、凹凸面９２とサイドレンズ７４とが当接して、空間Ｓを有さないように構成されていてもよい。また、凹凸面９２と内側前面レンズ７６とが当接しないが、凹凸面９２と内側レンズ７８とが当接して、空間Ｓにおける前後方向の幅が狭くなるように構成されていてもよい。これにより、スロットマシン１は、下部反射面９１Ｒの凹部９２Ｂとサイドランプユニット６７Ｒとの間にメダルが挟み込まれることの防止を図ることができる。
【００７４】
また、本実施形態において、上部反射面８６Ｌ，８６Ｒ及び下部反射面９１Ｌ，９１Ｒは、スロットマシン１に搭載されたが、これに限らず、パチンコ機に搭載されるように構成されていてもよい。例えば、遊技機は、パチンコ機であり、発射装置により発射される遊技球を投入及び貯留する上皿や発射装置を作動させる発射ハンドル等の複数の操作部材が配置された操作領域よりも枠体の幅方向における外側にサイドランプユニットが配置され、操作領域を有する操作ユニットの側面がサイドランプユニットの光を枠体の幅方向における枠体の外側に向けて反射する反射面であるように構成されていてもよい。また、遊技機は、遊技球が払い出される下皿よりも枠体の幅方向における外側にサイドランプユニットが配置され、下皿の側面がサイドランプユニットの光を幅方向における枠体の外側に向けて反射する反射面であるように構成されていてもよい。
【００７５】
このように構成された場合には、当該パチンコ機において遊技している遊技者以外の人に対してサイドランプユニットの光を反射面により反射させることができるので、コストの増加を防ぎつつ、当該パチンコ機における遊技者以外の人に対してサイドランプユニットの光を目立たせて、当該パチンコ機を目立たせることができる。遊技機は、遊技者による遊技に関する操作を受け付ける複数の操作部材が配置された操作領域が前面に配置された枠体と、枠体の前面に配置され、発光可能なランプユニットと、幅方向においてランプユニットと異なる位置に配置され、ランプユニットの光を枠体の幅方向における枠体の外側に向けて反射する反射面と、を備えるように構成されていれば、本実施形態に限らない。
【００７６】
また、パチンコ機では、反射面である凹凸面が幅方向においてランプユニットと異なる位置に配置されていれば、上記構成に限らないので、凹凸面が枠体の上下方向におけるいずれの位置に設けられていてもよい。
【符号の説明】
【００７７】
１…スロットマシン（遊技機）：１０…筐体（装置本体）：５３Ａ…操作ユニット：５５…下パネル（パネル）：５６…メダル投入口（操作部材）：６７Ｌ，６７Ｒ…サイドランプユニット（ランプユニット）：８０…操作領域：８６Ｌ，８６Ｒ…上部反射面（反射面）：９０…支持部品：９１Ｌ，９１Ｒ…下部反射面（反射面）：Ｂ１，Ｂ２，Ｂ３…ストップボタン（操作部材）：ＢＳ…精算ボタン（操作部材）：ＢＴ…シングルベットボタン（操作部材）：ＭＢ…マックスベットボタン（操作部材）：ＳＬ…スタートレバー（操作部材）
【図１】
2018158031.tif 000003
【図２】
2018158031.tif 000004
【図３】
2018158031.tif 000005
【図４】
2018158031.tif 000006
【図５】
2018158031.tif 000007
【図６】
2018158031.tif 000008